(57)【特許請求の範囲】
【請求項１】
撮像された映像であって、前記映像の撮像位置を示す位置情報が付加された映像を、端末装置から取得する映像取得手段と、
前記端末装置の位置の履歴を示す位置履歴情報を取得する位置履歴情報取得手段と、
ネットワークを介して情報の投稿及び投稿された情報の受信が可能なコミュニティについて予め指定された領域を示す領域情報を記憶手段から取得する領域情報取得手段と、
前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与手段と、
を備えることを特徴とする投稿権限付与装置。
【請求項２】
前記映像取得手段は、前記撮像位置及び前記映像の撮像日時を示す前記位置情報が付加された前記映像を取得し、
前記位置履歴情報取得手段は、前記端末装置の位置の履歴を日時とともに示す前記位置履歴情報を取得し、
前記付与手段は、前記位置情報により示される前記撮像位置が、前記領域情報により示される前記領域に含まれ、且つ前記撮像位置が、前記位置履歴情報に基づいて特定される位置であって、前記位置情報により示される前記撮像日時に応じた前記端末装置の位置に対応する場合、前記権限を付与することを特徴とする請求項１に記載の投稿権限付与装置。
【請求項３】
前記コミュニティへ情報を投稿するために用いられるアプリケーションを前記端末装置がダウンロードした日時を示すダウンロード日時情報を取得するダウンロード日時取得手段を更に備え、
前記付与手段は、前記撮像日時が、前記取得されたダウンロード日時情報により示される前記日時より後である場合にのみ、前記権限を付与することを特徴とする請求項２に記載の投稿権限付与装置。
【請求項４】
前記コミュニティが開設される日時以降の予め定められた期間を示す期間情報を取得する期間情報取得手段を更に備え、
前記付与手段は、前記撮像日時が、前記取得された期間情報により示される前記期間に含まれる場合にのみ、前記権限を付与することを特徴とする請求項２又は３の何れか一項に記載の投稿権限付与装置。
【請求項５】
前記付与手段により前記権限が付与される前記処理が実行される場合、前記取得された映像を、前記ユーザから投稿された情報として前記コミュニティに公開する公開手段を更に備えることを特徴とする請求項１乃至４の何れか一項に記載の投稿権限付与装置。
【請求項６】
コンピュータにより実行される投稿権限付与方法において、
撮像された映像であって、前記映像の撮像位置を示す位置情報が付加された映像を、端末装置から取得する映像取得ステップと、
前記端末装置の位置の履歴を示す位置履歴情報を取得する位置履歴情報取得ステップと、
ネットワークを介して情報の投稿及び投稿された情報の受信が可能なコミュニティについて予め指定された領域を示す領域情報を記憶手段から取得する領域情報取得ステップと、
前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与ステップと、
を含むことを特徴とする投稿権限付与方法。
【請求項７】
コンピュータを、
撮像された映像であって、前記映像の撮像位置を示す位置情報が付加された映像を、端末装置から取得する映像取得手段と、
前記端末装置の位置の履歴を示す位置履歴情報を取得する位置履歴情報取得手段と、
ネットワークを介して情報の投稿及び投稿された情報の受信が可能なコミュニティについて予め指定された領域を示す領域情報を記憶手段から取得する領域情報取得手段と、
前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与手段と、
として機能させることを特徴とする投稿権限付与プログラム。
【発明の詳細な説明】
【技術分野】
【０００１】
本発明は、映像の撮像位置を示す位置情報が付加された映像を、ネットワーク上のコミュニティに関する処理に用いる方法の技術分野に関する。
【背景技術】
【０００２】
現在、例えばＳＮＳ（ソーシャルネットワーキングサービス）等の、ネットワークを介してユーザ間で情報交換を可能とするシステムが普及している（例えば、特許文献１）。このようなシステムは、或るユーザにより投稿された情報に対する特定又は不特定のユーザによるアクセスを可能とする。また、好きなことや関心事等が共通するユーザ間で情報交換を行うことを目的として、インターネットコミュニティを開設することが可能となっていることが一般的である。通常、コミュニティに参加したユーザのみがそのコミュニティへの投稿が可能である。
【０００３】
一方で、特定種類のコンテンツに地理的な位置情報を付加するジオタギングが知られている。例えば、携帯電話機等の端末装置は、ＧＰＳ（Global Positioning System）等の測位システムを利用した位置情報の取得機能を有する。端末装置は、取得した位置情報をコンテンツに付加する。この位置情報により、コンテンツに関連した特定の何かが行われた位置を特定することができる。例えば、コンテンツが、写真や動画等の映像である場合、位置情報は、その映像が撮像された日時を示す。
【０００４】
上述のコミュニティ及び位置情報に関連して、特許文献１には、ユーザの投稿に基づいたコンテンツの配信の調整方法が開示されている。この方法において、投稿の写真に関連付けられた地理的位置が、写真の対象物を既知の場所で識別することによって、又はジオタグ等の位置決定プロセスによって決定される。また、投稿の時刻、投稿の主題及び地理的位置に基づいて、ユーザの投稿がクラスタリングされる。そして、クラスタ内の投稿件数に基づいて、そのクラスタの投稿の主題に類似した主題のコンテンツの配信量が調整される。
【先行技術文献】
【特許文献】
【０００５】
【特許文献１】特開２０１０−０５５２２２号公報
【特許文献２】特許第６１９６３１６号公報
【発明の概要】
【発明が解決しようとする課題】
【０００６】
ところで、特定の場所と関連があるコミュニティについて、その場所に行ったことがあるユーザのみを、そのコミュニティに参加させたい場合がある。その場合、特定の場所に行ったことの証明として、ユーザが、その場所で映像を撮像して、その場所の位置情報が付加された映像をアップロードすることが想定される。しかしながら、映像に付加された位置情報は改竄が容易である。また、位置情報が付加された映像を他人から入手することも可能である。そのため、実際には特定の場所に行ったことがないユーザが、その場所に行ったことを装ってコミュニティに参加する可能性がある。
【０００７】
本発明は以上の点に鑑みてなされてものであり、その課題の一例は、位置情報が付加された映像を用いて、コミュニティに関連付けられた場所に行ったことの確実性が高いユーザをそのコミュニティに参加させることを可能とする投稿権限付与装置、投稿権限付与方法、及び投稿権限付与プログラムを提供することである。
【課題を解決するための手段】
【０００８】
上記課題を解決するために、請求項１に記載の発明は、撮像された映像であって、前記映像の撮像位置を示す位置情報が付加された映像を、端末装置から取得する映像取得手段と、前記端末装置の位置の履歴を示す位置履歴情報を取得する位置履歴情報取得手段と、ネットワークを介して情報の投稿及び投稿された情報の受信が可能なコミュニティについて予め指定された領域を示す領域情報を記憶手段から取得する領域情報取得手段と、前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与手段と、を備えることを特徴とする。
【０００９】
この発明によれば、位置情報が付加された映像、位置履歴情報、及び領域情報が取得される。映像に付加された位置情報は、その映像が撮像されたとされる位置を示す。位置履歴情報は、端末装置がどこに位置していたかの履歴を示す。領域情報により示される領域は、例えばコミュニティで情報交換される対象となる物事がある場所を含む。そして、映像の撮像位置が、指定された領域内であり、且つその撮像位置が、位置履歴情報に基づいて特定される端末装置の位置に対応する場合、投稿権限が付与される。従って、投稿権限付与の条件の一つは、コミュニティで情報交換される対象となる物事がある領域内で映像が撮像されたことである。領域内にある物事に或る程度以上高い関心を有するからこそ、ユーザはその領域内に行くものと考えられる。従って、この条件は、例えばコミュニティに関連する物事に対する関心度を試す条件である。投稿権限付与の条件の他の一つは、映像が撮像されたとされる位置又はその付近にユーザが実際にいた蓋然性があることである。映像の撮像位置と端末装置の位置とを比較することで、映像に付加された位置情報の改竄等の不正を防止することができる。従って、位置情報が付加された映像を用いて、コミュニティに関連付けられた場所に行ったことの確実性が高いユーザをそのコミュニティに参加させることができる。
【００１０】
請求項２に記載の発明は、前記映像取得手段は、前記撮像位置及び前記映像の撮像日時を示す前記位置情報が付加された前記映像を取得し、前記位置履歴情報取得手段は、前記端末装置の位置の履歴を日時とともに示す前記位置履歴情報を取得し、前記付与手段は、前記位置情報により示される前記撮像位置が、前記領域情報により示される前記領域に含まれ、且つ前記撮像位置が、前記位置履歴情報に基づいて特定される位置であって、前記位置情報により示される前記撮像日時に応じた前記端末装置の位置に対応する場合、前記権限を付与することを特徴とする。
【００１１】
この発明によれば、映像が撮像された日時も示す位置情報が付加された映像が取得される。また、端末装置の位置に関連付けて、その端末装置が位置していた日時も示す位置履歴情報が取得される。そして、映像の撮像位置が、撮像日時に応じた端末装置の位置に対応する場合、投稿権限が付与される。従って、映像が撮像された時期に、その映像が撮像されたとされる位置又はその付近にユーザが実際にいた蓋然性がある場合に限り、投稿権限を付与することができる。従って、映像に付加された位置情報の改竄等の不正を、より確実に防止することができる。
【００１２】
請求項３に記載の発明は、前記コミュニティへ情報を投稿するために用いられるアプリケーションを前記端末装置がダウンロードした日時を示すダウンロード日時情報を取得するダウンロード日時取得手段を更に備え、前記付与手段は、前記撮像日時が、前記取得されたダウンロード日時情報により示される前記日時より後である場合にのみ、前記権限を付与することを特徴とする。
【００１３】
この発明によれば、コミュニティへ情報を投稿するためのアプリケーションを端末装置がダウンロードした以降に映像が撮像された場合に限り、投稿権限が付与される。従って、映像の撮像時点で、コミュニティでの情報交換を可能とするシステムに興味を持っているユーザを、コミュニティに参加させることができる。
【００１４】
請求項４に記載の発明は、前記コミュニティが開設される日時以降の予め定められた期間を示す期間情報を取得する期間情報取得手段を更に備え、前記付与手段は、前記撮像日時が、前記取得された期間情報により示される前記期間に含まれる場合にのみ、前記権限を付与することを特徴とする。
【００１５】
この発明によれば、コミュニティが開設される日時以降の予め定められた期間内に映像が撮像された場合に限り、投稿権限が付与される。従って、映像の撮像時点で、開設されたコミュニティ又はそのコミュニティに関連する物事に関心や興味を持っているユーザを、コミュニティに参加させることができる。
【００１６】
請求項５に記載の発明は、前記付与手段により前記権限が付与される前記処理が実行される場合、前記取得された映像を、前記ユーザから投稿された情報として前記コミュニティに公開する公開手段を更に備えることを特徴とする。
【００１７】
この発明によれば、ユーザがコミュニティに参加することに応じて、ユーザが送信した映像をそのコミュニティにそのまま投稿することができる。
【００１８】
請求項６に記載の発明は、コンピュータにより実行される投稿権限付与方法において、撮像された映像であって、前記映像の撮像位置を示す位置情報が付加された映像を、端末装置から取得する映像取得ステップと、前記端末装置の位置の履歴を示す位置履歴情報を取得する位置履歴情報取得ステップと、ネットワークを介して情報の投稿及び投稿された情報の受信が可能なコミュニティについて予め指定された領域を示す領域情報を記憶手段から取得する領域情報取得ステップと、前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与ステップと、を含むことを特徴とする。
【００１９】
請求項７に記載の発明は、コンピュータを、撮像された映像であって、前記映像の撮像位置を示す位置情報が付加された映像を、端末装置から取得する映像取得手段と、前記端末装置の位置の履歴を示す位置履歴情報を取得する位置履歴情報取得手段と、ネットワークを介して情報の投稿及び投稿された情報の受信が可能なコミュニティについて予め指定された領域を示す領域情報を記憶手段から取得する領域情報取得手段と、前記取得された映像に付加された前記位置情報により示される前記撮像位置が、前記取得された領域情報により示される前記領域に含まれ、且つ前記撮像位置が、前記取得された位置履歴情報に基づいて特定される前記端末装置の位置に対応する場合、前記コミュニティへ情報を投稿する権限を、前記端末装置のユーザに付与する処理を実行する付与手段と、として機能させることを特徴とする。
【発明の効果】
【００２０】
本発明によれば、位置情報が付加された映像を用いて、コミュニティに関連付けられた場所に行ったことの確実性が高いユーザをそのコミュニティに参加させることができる。
【図面の簡単な説明】
【００２１】
【図１】一実施形態に係るチャンネルシステムＳの概要構成の一例を示す図である。
【図２】一実施形態に係るセンターサーバ１の概要構成の一例を示すブロック図である。
【図３】データベースに記憶される内容の一例を示す図である。
【図４】一実施形態に係るセンターサーバ１のシステム制御部１１の機能ブロックの一例を示す図である。
【図５】チャンネルへの参加登録を承認するか否かの判定に用いられる情報の一例を示す図である。
【図６】ユーザがチャンネルに参加登録可能であるか否かの判定例を示す図である。
【図７】チャンネルに参加登録可能な映像の撮像日時の例を示す図である。
【図８】（ａ）は、チャンネルに参加していない場合における画面例を示す図である。（ｂ）は、チャンネルに参加登録後の画面例を示す図である。
【図９】一実施形態に係るチャンネルシステムＳの動作の一例を示すシーケンス図である。
【図１０】一実施形態に係るセンターサーバ１のシステム制御部１１による参加登録可不可判定処理の一例を示すフローチャートである。
【発明を実施するための形態】
【００２２】
以下、図面を参照して本発明の実施形態について詳細に説明する。以下に説明する実施形態においては、個々のインターネットコミュニティを、チャンネルと称する。
【００２３】
［１．チャンネルシステムの構成］
先ず、本実施形態に係るチャンネルシステムＳの構成及び機能概要について、図１を用いて説明する。図１は、本実施形態に係るチャンネルシステムＳの概要構成の一例を示す図である。
【００２４】
図１に示すように、チャンネルシステムＳは、センターサーバ１と、複数のユーザ端末２とを備える。センターサーバ１と各ユーザ端末２とは、ネットワークＮＷを介して互いに接続される。ネットワークＮＷは、例えばインターネット、専用通信回線（例えば、ＣＡＴＶ（Community Antenna Television）回線）、移動体通信網（基地局等を含む）、及びゲートウェイ等により構築されている。
【００２５】
センターサーバ１は、情報交換が行われるチャンネルを管理する。チャンネルの参加者は、ユーザ端末２を用いることにより、ネットワークＮＷを介してそのチャンネルへの情報の投稿、及びそのチャンネルに投稿された情報の受信が可能である。チャンネルにおける情報交換の方式の例として、掲示板方式、チャット方式等が挙げられる。センターサーバ１は、チャンネルの開設、ユーザによるチャンネルへの参加登録、チャンネルに参加するユーザ間における情報のやりとり等を制御するための処理を行う。
【００２６】
各ユーザ端末２は、チャンネルシステムＳを利用するユーザにより利用される携帯用の端末装置である。ユーザ端末２の例として、スマートフォン、タブレット式コンピュータ等の携帯情報端末、携帯電話機、ＰＤＡ（Personal Digital Assistant）等が挙げられる。各ユーザ端末２には、チャンネルシステムＳ用のアプリケーションプログラム（以下、専用アプリと称する）が記憶されてもよい。専用アプリは、チャンネルへ情報を投稿するために用いられる。ユーザ端末２が、専用アプリに従ってセンターサーバ１との間で情報を送受信することを通じで、ユーザはチャンネルシステムＳを利用することができる。専用アプリは、例えばセンターサーバ１からダウンロード可能である。
【００２７】
また、各ユーザ端末２は、そのユーザ端末２の位置を示す位置情報を取得する機能を有する。例えば、ＧＰＳ（Global Positioning System）等の衛星測位システムを利用して、位置情報として経緯度が計算されてもよい。また例えば、移動体通信事業者により、基地局を利用した位置情報がユーザ端末２に提供されてもよい。この場合、ユーザ端末２は、そのユーザ端末２の近くにある基地局の位置に対応した経緯度、住所又は郵便番号を、位置情報として取得する。また例えば、無線ＬＡＮ（Local Area Network）を利用して位置情報が取得可能であってもよい。例えば、ユーザ端末２は、複数のアクセスポイントから無線を受信したとき、各アクセスポイントからの電波強度を測定するとともに、各アクセスポイントのＳＳＩＤを取得する。ユーザ端末２は、電波強度及びＳＳＩＤを含む情報を、図示せぬ所定のサーバ装置へ送信する。このサーバ装置には、アクセスポイントの設置位置の経緯度等が記憶されている。サーバ装置は、ユーザ端末２から受信した情報を用いて、例えば三角測量により、ユーザ端末２の位置を算出する。
【００２８】
更に、各ユーザ端末２は、映像を撮像する機能を有する。例えば、各ユーザ端末２は、ＣＣＤ（Charge-Coupled Device）センサ、ＣＭＯＳ（Complementary Metal Oxide Semiconductor）センサ等で構成されるデジタルカメラを備える。ユーザ端末２は、デジタルカメラで撮像された映像の映像データを、ユーザ端末２のメモリに記憶させる。撮像可能な映像の例として、写真及び動画が挙げられる。写真データのフォーマットの例として、ＪＰＥＧ、ＲＡＷ等が挙げられる。動画は、音声あり及び音声なしの何れであってもよい。動画データのコンテナフォーマットの例として、ＭＰＥＧ２−ＴＳ、ＭＰ４、ＦＬＶ（Flash Video）等が挙げられる。動画自体のフォーマットの例として、Ｈ．２６４、ＭＰＥＧ−２等が挙げられる。
【００２９】
ここで、各ユーザ端末２は、撮像された映像のデータに、映像が撮像された位置を示す撮像位置情報を付加する機能を有する。この機能は、例えば映像撮像用のアプリケーションプログラムに従って、ジオタギングを用いることによって実現されてもよい。この撮像位置情報は、例えば撮像位置の経緯度を含む。撮像位置情報は、更に映像の撮像日時を示すタイムスタンプを含んでもよい。映像データに対する撮像位置情報が付加される態様の例として、撮像位置情報がメタデータとして映像データに追加される、映像データと関連付けられた撮像位置情報のファイルが生成される、等が挙げられる。写真の場合、例えばＥｘｉｆ（Exchangeable image file format）又はＸＭＰ（Extensible Metadata Platform）フォーマット等のメタデータが、その写真のデータに追加されてもよい。
【００３０】
なお、チャンネルの開設者となるユーザが利用するユーザ端末２は、撮像位置情報を取得する機能、映像を撮像する機能及び映像データに撮像位置情報を付加する機能の何れも有しなくてもよい。また、開設者が利用するユーザ端末２は、パーソナルコンピュータ等の据え置き型の端末装置であってもよい。
【００３１】
チャンネルシステムＳにおいて、開設者は、チャンネルを開設するために、地理的な領域を指定する。指定される領域は、通常、チャンネル内で情報交換される対象となる場所や、情報交換される対象となることが起こる場所等を含む。例えば、開設者は、特定の店、施設、ランドマーク、観光スポット等を含むように領域を指定することができる。また、開設者は、特定の人間、動植物等がいる場所や、特定の物やサービスが提供される場所を含むように領域を指定することができる。また、開設者は、特定のイベントが開催される場所を含むように領域を指定することができる。
【００３２】
チャンネルシステムＳを利用するユーザのうち、指定された領域に入ったユーザのみが、そのチャンネルに参加登録することができる。参加登録したユーザは、そのチャンネルへ情報を投稿することができる権限を獲得する。指定された領域内の物事に少しでも興味があるユーザは、その領域内に行くかもしれないし、行かないかもしれない。しかしながら、或る場所に行くという行為は、ユーザの時間や労力を消費する行為である。従って、指定された領域内に行ったユーザは、その域内の物事への関心度が或る程度以上に高いユーザである蓋然性が高い。従って、特定の物事への関心度が或る程度以上に高いユーザでコミュニティを形成することができる。なお、開設者は、指定された領域に入ったか否かに関わらず、情報を投稿する権限を当初から有してもよい。
【００３３】
チャンネルの参加登録方法の例として、そのチャンネルで指定された領域内に位置しているときに、ユーザがユーザ端末２を操作することにより、そのチャンネルへの参加登録をセンターサーバ１に要求することが挙げられる。そのときのユーザ端末２の位置情報を、ユーザ端末２がセンターサーバ１へ提供することで、センターサーバ１は、ユーザがその領域内にいることを確認することができる。従って、センターサーバ１は、そのユーザをチャンネルに参加することを承認することができる。しかしながら、この方法では、一度その領域から出てしまった後では、ユーザがチャンネルに参加登録することができない。例えば、過去に行った場所についてチャンネルに参加したい場合、ユーザは、その場所に再度行く必要がある。もし、外出ができない又はその他の理由により、その場所に行くことが難しい場合、ユーザはチャンネルに参加登録することができない。また例えば、チャンネルに関連するイベントが開催されたときにユーザはその開催場所に行ったが、現在そのイベントが終了している場合、ユーザにとってその場所に再度行く理由がない。
【００３４】
そこで、チャンネルシステムＳは、指定された領域内で、撮像位置情報付きの映像を撮像することを、チャンネルの参加登録の条件の一つとする。その理由は、撮像された映像のデータに付加された撮像位置情報により、ユーザがその領域内にいたことを証明することができるからである。関心がある場所に行ったとき、ユーザは、その場所で映像を撮像する可能性がある。従って、ユーザが参加したいチャンネルに対応する領域内で、ユーザは事前に映像を撮像している可能性がある。また、この条件を知っているユーザも、その場所に行ったときに映像を撮像する。ユーザは、映像データをユーザ端末２に記憶しておけば、その領域外に出た後からでも、その映像データをセンターサーバ１へアップロードすることで、チャンネルへの参加登録が可能となる。
【００３５】
但し、映像データに付加された撮像位置情報の改竄は比較的容易である。また、ウェブ、インスタントメッセージ、電子メール、記録媒体又はその他の手段を通じて、他人が撮像した映像データを入手することも可能である。そのため、チャンネルに関連する場所に行っていないにもかかわらず、そのチャンネルに参加しようとする不正者が現れる可能性がある。センターサーバ１は、そうした不正を防止するための参加登録の判定を行う。
【００３６】
なお、上述したように、撮像された映像を利用しなくても、チャンネルに参加登録する方法は存在してもよい。本実施形態においては、こうした参加登録の方法についての詳細な説明は省略する。
【００３７】
［２．センターサーバの構成］
次に、センターサーバ１の構成について、図２及び図３を用いて説明する。図２は、本実施形態に係るセンターサーバ１の概要構成の一例を示すブロック図である。図２に示すように、センターサーバ１は、システム制御部１１と、システムバス１２と、入出力インターフェース１３と、記憶部１４と、通信部１５と、を備えている。システム制御部１１と入出力インターフェース１３とは、システムバス１２を介して接続されている。
【００３８】
システム制御部１１は、ＣＰＵ（Central Processing Unit）１１ａ、ＲＯＭ（Read Only Memory）１１ｂ、ＲＡＭ（Random Access Memory）１１ｃ等により構成されている。
【００３９】
入出力インターフェース１３は、記憶部１４及び通信部１５とシステム制御部１１との間のインターフェース処理を行う。
【００４０】
記憶部１４は、例えば、ハードディスクドライブ等により構成されている。この記憶部１４には、会員ＤＢ１４ａ、位置情報ＤＢ１４ｂ、チャンネルＤＢ１４ｃ、領域ＤＢ１４ｄ、投稿情報ＤＢ１４ｅ等のデータベースが記憶されている。「ＤＢ」は、データベースの略語である。
【００４１】
図３は、データベースに記憶される内容の一例を示す図である。会員ＤＢ１４ａには、チャンネルシステムＳのユーザに関する会員情報がユーザごとに記憶されている。具体的に、会員ＤＢ１４ａには、会員情報として、ユーザＩＤ、ニックネーム、性別、生年月日、電話番号、電子メールアドレス、住所、参加チャンネルリスト、専用アプリウンロード日時等の情報が関連付けて記憶される。ユーザＩＤは、ユーザを識別するための識別情報である。通知チャンネルリストは、例えばユーザにより登録されたチャンネルのチャンネルＩＤのリストである。チャンネルＩＤは、チャンネルを識別するための識別情報である。参加チャンネルリストは、ユーザが参加しているチャンネルのチャンネルＩＤのリストである。専用アプリダウンロード日時は、対応するユーザのユーザ端末２が専用アプリをダウンロードしてインストールした日時を示す。例えば、ユーザ端末２が専用アプリをセンターサーバ１からダウンロードすると、センターサーバ１は、専用アプリダウンロード日時を、そのユーザ端末２のユーザのユーザＩＤに関連付けて会員ＤＢ１４ａに記憶させる。
【００４２】
位置情報ＤＢ１４ｂには、ユーザ端末２の位置情報が、ユーザごとに記憶される。具体的に、位置情報ＤＢ１４ｂには、位置情報として、ユーザＩＤ、記録日時、及び端末位置情報が関連付けて記憶される。ユーザＩＤは、ユーザ端末２を利用するユーザを示す。記録日時は、位置情報がユーザ端末２によって記録された日時である。換言すると、記録日時は、端末位置情報により示される場所にユーザ端末２が位置していた日時である。端末位置情報は、例えばユーザ端末の位置を示す経緯度であってもよい。同一のユーザ端末２から位置情報を受信するごとに、センターサーバ１は、その位置情報を位置情報ＤＢ１４ｂに追加する。
【００４３】
チャンネルＤＢ１４ｃには、開設されるチャンネルに関するチャンネル情報が、チャンネルごとに記憶される。具体的に、チャンネルＤＢ１４ｃには、チャンネル情報として、チャンネルＩＤ、開設者ＩＤ、チャンネル名、開設日時、チャンネル概要、タグ情報、領域ＩＤ、イベント期間、公開種別、参加者リスト等が、関連付けて記憶される。これらの情報のうち、チャンネル名、開設日時、チャンネル概要、タグ情報、イベント期間及び公開種別は、チャンネルの開設者によって設定可能である。開設者ＩＤは、開設者のユーザＩＤである。開設日時は、チャンネルが開設される日時を示す。基本的に、開設日時移行に、チャンネルへの参加登録、情報の投稿等が可能である。タグ情報は、チャンネルに関連するジャンルやキーワード等のリストである。領域ＩＤは、開設者により指定された領域を示す領域情報を識別する識別情報である。開設者は、複数の領域を指定可能であってもよい。この場合、チャンネルＤＢ１４ｃには複数の領域ＩＤが記憶され、領域ＤＢ１４ｄには、これらの領域ＩＤに関連付けられる複数の領域情報が記憶される。イベント期間は、チャンネルが或るイベントに関連する場合、そのイベントが開催される期間を示す。開設者の選択に応じて、チャンネルＤＢ１４ｃに記憶されたり記憶されなかったりする。イベント期間が指定されている場合、領域ＩＤにより示される領域は、関連するイベントが開催される場所を含む。イベント期間は、一日の特定の時間帯であってもよいし、一日以上の日数の長さの期間であってもよい。チャンネルＤＢ１４ｃに記憶されるイベント期間が、実際のイベント期間と完全に一致する必要はない。イベント期間は、チャンネルに関連する施設や店等の営業時間であってもよい。この場合、例えば定休日以外は、イベント期間が毎日現れる。公開種別は、チャンネルに投稿された情報を、そのチャンネルに参加していないユーザに対して公開するか否かを示す。参加者リストは、チャンネルに参加しているユーザのユーザＩＤのリストである。参加者リストは、開設者のユーザＩＤも含んでもよい。
【００４４】
領域ＤＢ１４ｄには、チャンネルの開設者により指定された領域を示す領域情報が記憶される。具体的に、領域ＤＢ１４ｄには、指定された領域ごとに、領域ＩＤ及び領域情報等が関連付けて記憶される。チャンネルに対応する領域は、そのチャンネルで情報交換される対象となる物事がある場所を含んでもよい。領域情報は、チャンネルの開設者により指定された領域を示す。領域の形状の例として、円形、楕円、正方形、長方形、菱形等が挙げられる。例えば、指定された領域が円形の領域である場合、領域情報は、中心点の経緯度及び半径を含んでもよい。領域情報は、中心点の経緯度に変えて、中心点となる住所、施設名、建物名、ランドマーク名を含んでもよい。領域の形状が円形以外の形状である場合、領域情報は、その形状に応じた情報を含む。或いは、領域情報は、領域の境界を構成する各線分の経緯度を含んでもよい。或いは、領域情報は、地域や区画の名称を含んでもよい。
【００４５】
投稿情報ＤＢ１４ｅには、チャンネルに投稿された情報が記憶される。具体的に、投稿情報ＤＢ１４ｅには、チャンネルＩＤ、ユーザＩＤ、投稿日時、投稿情報等が関連付けて記憶される。チャンネルＩＤは、投稿先のチャンネルを示す。ユーザＩＤは、投稿者を示す。投稿情報は、投稿された情報である。投稿情報の例として、静止画、動画、音声、テキスト等が挙げられる。
【００４６】
記憶部１４には、更に、オペレーティングシステム、ＤＢＭＳ（Database Management System）、サーバプログラム等の各種プログラムが記憶されている。サーバプログラムは、チャンネルシステムＳに関する各種処理をシステム制御部１１に実行させるプログラムである。サーバプログラムは、例えば、他の装置からインターネットＮＷを介して取得されるようにしてもよいし、磁気テープ、光ディスク、メモリカード等の記録媒体に記録されてドライブ装置を介して読み込まれるようにしてもよい。
【００４７】
通信部１５は、ネットワークＮＷを介してオンラインショッピングサーバ２やユーザ端末２と接続し、これらの装置との通信状態を制御する。
【００４８】
［３．センターサーバのシステム制御部の機能概要］
次に、図４乃至図８を用いて、センターサーバ１のシステム制御部１１の機能概要について説明する。図４は、本実施形態に係るセンターサーバ１のシステム制御部１１の機能ブロックの一例を示す図である。システム制御部１１は、ＣＰＵ１１ａが、サーバプログラムに含まれる各種プログラムコードを読み出し実行することにより、図４に示すように、映像取得部１１１、位置履歴取得部１１２、領域情報取得部１１３、投稿権限付与部１１４、チャンネル情報提供部１１５等として機能する。
【００４９】
図５は、チャンネルへの参加登録を承認するか否かの判定に用いられる情報の一例を示す図である。映像取得部１１１は、撮像された映像であって、その映像の撮像位置を示す撮像位置情報が付加された映像のデータを、ユーザ端末２から取得する。例えば、ユーザが、或るチャンネルに参加登録したいとき、専用アプリケーションにおいてそのチャンネルを選択する。そして、ユーザは、映像のアップロードを選択する。ユーザ端末２は、記憶されている映像のサムネイル又は一覧を表示する。ユーザが何れかの映像を選択すると、その映像のデータに撮像位置情報がされている場合、ユーザ端末２は、図５に示すように、その撮像位置情報が付加された映像データを、例えばそのユーザ端末２を利用するユーザのユーザＩＤ及び選択されたチャンネルのチャンネルＩＤとともに、センターサーバ１へ送信する。こうして、映像取得部１１１は、撮像位置情報が付加された映像データを取得する。映像取得部１１１は、映像の撮像位置及び撮像日時を示す撮像位置情報が付加された映像データを取得してもよい。
【００５０】
位置履歴取得部１１２は、ユーザ端末２の位置を示す端末位置情報の履歴を取得する。例えば、ユーザ端末２にインストールされた専用アプリに従って、各ユーザ端末２はバックグラウンドで定期的に（例えば、５分間隔、１０分間隔等）、ＧＰＳ等を利用してそのユーザ端末２の端末位置情報を取得する。また、ユーザ端末２は、専用アプリが起動したタイミング等に端末位置情報を取得してもよい。ユーザ端末２は、端末位置情報を取得するごとに、現在日時を記録日時として取得する。ユーザ端末２は、端末位置情報、記録日時及びそのユーザ端末２を利用するユーザのユーザＩＤを含む位置情報を、センターサーバ１へ送信する。ユーザ端末２が位置情報をリアルタイムで送信する場合、ユーザ端末２が記録日時を決定するのではなく、位置履歴取得部１１２が記録日時を決定してもよい。例えば、位置履歴取得部１１２は、記録日時として、位置情報の受信日時を決定してもよい。位置履歴取得部１１２は、ユーザ端末２から送信されてきた位置情報を位置情報ＤＢ１４ｂに記憶する。
【００５１】
位置履歴取得部１１２は、例えば映像取得部１１１によりユーザ端末２から映像データが取得されたときに、そのユーザ端末２を利用するユーザのユーザＩＤに関連付けて位置情報ＤＢ１４ｂに記憶された一又は複数の位置情報から、一又は複数の端末位置情報を、端末位置情報の履歴として取得してもよい。位置履歴取得部１１２は、ユーザ端末２の位置の履歴を日時とともに示す位置情報の履歴を取得してもよい。すなわち、位置履歴取得部１１２は、それぞれ端末位置情報及び記録日時を含む一又は複数の位置情報を、位置情報の履歴として取得してもよい。
【００５２】
領域情報取得部１１３は、チャンネルについて予め指定された領域を示す領域情報を、記憶部１４から取得する。例えば、映像取得部１１１により、ユーザにより指定されたチャンネルのチャンネルＩＤが、映像データとともに取得された場合、領域情報取得部１１３は、チャンネルＤＢ１４ｃから、そのチャンネルＩＤに関連付けられた領域ＩＤを取得する。そして、領域情報取得部１１３は、その領域ＩＤに関連付けられた領域情報を、領域ＤＢ１４ｄから取得する。
【００５３】
投稿権限付与部１１４は、映像取得部１１１により取得された映像データに付加された撮像位置情報により示される撮像位置が、領域情報取得部１１３により取得された領域情報により示される領域に含まれ、且つその撮像位置が、位置履歴取得部１１２により取得された端末位置情報の履歴に基づいて特定されるユーザ端末２の位置に対応する場合、チャンネルへ情報を投稿する権限を、映像データを送信してきたユーザ端末２のユーザに付与する処理を実行する。
【００５４】
先ず、映像の撮像位置が、指定された領域内であることが、投稿権限を付与するための必須の条件である。すなわち、この条件は、チャンネルで情報交換される対象となる物事がある領域内で映像が撮像されたことである。領域内にある物事に或る程度以上高い関心を有するからこそ、ユーザはその領域内に行くものと考えられる。従って、この条件は、例えばチャンネルに関連する物事に対する関心度を試す条件である。チャンネルに複数の領域が関連付けられている場合がある。この場合、それらの領域のうち、何れか一の領域で映像が撮像されれば、この条件は満たされる。
【００５５】
前述したように撮像位置の不正が行われる可能性もあるので、投稿権限付与部１１４は、撮像位置と、端末位置情報の履歴と、を比較する。端末位置情報の履歴から、ユーザ端末２が実際に位置していた蓋然性がある場所が特定可能である。従って、撮像位置がユーザ端末２の実際の位置に対応していれば、ユーザは実際にそこで映像を撮像していた可能性が高い。
【００５６】
端末位置情報の履歴に基づいて特定されるユーザ端末２の位置とは、ユーザ端末２を携帯したユーザがいた蓋然性がある位置であってもよい。具体的に、端末位置情報の履歴に基づいて特定されるユーザ端末２の位置は、履歴に含まれる何れかの端末位置情報により示されるユーザ端末２の位置そのものであってもよい。或いは、端末位置情報の履歴に基づいて特定されるユーザ端末２の位置は、端末位置情報の履歴により示される複数の位置から推定されるユーザ端末２（またはユーザ）の移動経路上の何れかの地点であってもよい。この移動経路は、例えば位置情報ＤＢ１４ｂに記憶された順に従って端末位置情報により示される地点間を直線で結ぶことにより形成される経路であってもよい。或いは、この移動経路は、スプライン補完等により、端末位置情報により示される地点間を結ぶ曲線で形成される経路であってもよい。
【００５７】
撮像位置が、端末位置情報の履歴に基づいて特定されるユーザ端末２の位置に対応するとは、例えば撮像位置とユーザ端末２の位置との間の関係であって、ユーザ端末２が実際に位置していた地点でその映像が撮像された蓋然性がある位置関係が存在することをいう。例えば、投稿権限付与部１１４は、端末位置情報の履歴により示される一又は複数のユーザ端末２の位置のうち、撮像位置からの距離が最も短い位置とその撮像位置との間の距離が所定距離以下である場合、撮像位置が、端末位置情報の履歴に基づいて特定されるユーザ端末２の位置に対応すると判定してもよい。或いは、投稿権限付与部１１４は、端末位置情報の履歴により推定される移動経路上の地点のうち、撮像位置からの距離が最も短い地点とその撮像位置との間の距離が所定距離以下である場合、撮像位置が、端末位置情報の履歴に基づいて特定されるユーザ端末２の位置に対応すると判定してもよい。
【００５８】
投稿権限付与部１１４は、映像データに付加された撮像位置情報に含まれる撮像日時、及びユーザ端末２の位置情報に含まれる記録日時を用いてもよい。例えば、投稿権限付与部１１４は、撮像位置情報により示される撮像位置が、領域情報により示される領域に含まれ、且つその撮像位置が、ユーザ端末２の位置情報の履歴に基づいて特定される位置であって、撮像位置情報により示される撮像日時に応じたユーザ端末２の位置に対応する場合、投稿権限を付与してもよい。位置情報の履歴に基づいて特定される位置であって、且つ撮像日時に応じたユーザ端末２の位置とは、例えば、映像の撮像時点でユーザ端末２が実際に位置していた蓋然性がある地点であてもよい。例えば、撮像日時に応じたユーザ端末２の位置は、ユーザ端末２の位置情報の履歴に含まれる記録日時のうち、撮像日時に最も近い記録日時に関連付けられた端末位置情報により示される位置であってもよい。或いは、投稿権限付与部１１４は、ユーザ端末２の位置情報の履歴により推定される移動経路と、位置情報の履歴に含まれる各記録日時に基づいて、その移動経路上で、撮像日時に示される時点でユーザ端末２が位置していた地点を、撮像日時に応じたユーザ端末２の位置として推定してもよい。日時を用いることにより、映像が撮像された時点でユーザがその撮像位置又はその付近にいた蓋然性を判定することができる。
【００５９】
撮像された映像をセンターサーバ１へアップロードする場所は、指定された領域内及びその領域外の何れであっても、チャンネルに参加登録可能である。指定された領域内にある場所や物、その領域内で行われること等に或る程度以上関心を持つユーザは、その領域内に行く。従って、チャンネルにおいて情報交換の対象となる特定の物事に或る程度以上の関心を持つユーザが、チャンネルに参加することができる。参加者がその物事に或る程度以上の関心を持つということが明らかになったのであれば、映像をアップロードする場所を限定する必要はない。
【００６０】
図６は、ユーザがチャンネルに参加登録可能であるか否かの判定例を示す図である。例えば、図６に示すように、或る開設者は、ラーメン店ＳＰを囲む領域Ｒを指定して領域情報を登録し、ラーメン店ＳＰに関連するチャンネルＣ１を開設した。各ユーザ端末２は、５分ごとに、そのユーザ端末２の位置情報を取得すると想定する。ユーザ端末２−１を携帯するユーザＵ１は、地点Ｐ１１から、地点Ｐ１２及びＰ１３を経由して、地点Ｐ１４にいる。ここで、ユーザＵ１は、地点Ｆ１で撮像された写真をアップロードして、チャンネルＣ１への参加登録を要求した。しかしながら、地点Ｆ１は、領域Ｒの外側であるので、ユーザＵ１は、チャンネルＣ１に参加することはできない。
【００６１】
ユーザ端末２−２を携帯するユーザＵ２は、地点Ｐ２１から、地点Ｐ２２、Ｐ２３及びＰ２４を経由して、地点Ｐ２５にいる。ここで、ユーザＵ２は、地点Ｆ２で撮像された写真をアップロードして、チャンネルＣ１への参加登録を要求した。地点Ｆ２は領域Ｒの内側である。写真の撮像時刻は１０時２０分である。１０時２０分時点において、ユーザＵ２は地点Ｐ２１にいた。地点Ｐ２１から撮像地点Ｆ２までは遠く、地点Ｐ２１と撮像地点Ｆ２との代打の距離Ｄ２は所定の閾距離よりも長い。従って、写真の撮像時点でユーザＵ２は撮像地点Ｆ２にいたとは判定されない。そのため、ユーザＵ２は、チャンネルＣ１に参加することはできない。この場合、写真に付加された位置情報が改竄され、又はユーザＵ２が誰かから写真を入手した可能性がある。なお、地点Ｐ２１は、領域Ｒの外側であるが、たとえ地点Ｐ２１が領域Ｒの内側であっても、距離Ｄ２が閾距離よりも長い場合、ユーザＵ２は、チャンネルＣ１に参加することはできない。チャンネルへの参加登録を、映像データを用いて可能とすることから、映像の（撮像時点で）撮像地点にユーザがいたか否かが問題である。
【００６２】
ユーザ端末２−３を携帯するユーザＵ３は、地点Ｐ３１から、地点Ｐ３２、Ｐ３３及びＰ３４を経由して、地点Ｐ３５にいる。ここで、ユーザＵ３は、地点Ｆ３で撮像された写真をアップロードして、チャンネルＣ１への参加登録を要求した。撮像地点Ｆ３は領域Ｒの内側である。写真の撮像時刻は１０時０８分である。ユーザＵ３は、１０時に地点Ｐ３１、１０時５分に地点Ｐ３２、１０時１０分に地点Ｐ３３、１０時１５分に地点Ｐ３４にそれぞれいた。そこで、投稿権限付与部１１４は、例えば記録時刻が撮像時刻に最も近い地点Ｐ３３から撮像地点Ｆ３までの距離Ｄ３を計算する。距離Ｄ３は、閾距離よりも短い。そのため、ユーザＵ３は、チャンネルＣ１に参加することができる。
【００６３】
なお、図示せぬユーザ端末２−４を携帯するユーザＵ４が、ユーザＵ３と行動を共にしていたとする。ユーザＵ４は、ユーザＵ３が地点Ｆ３で撮像した写真を、例えばインスタントメッセージ、電子メール又はその他の手段で取得したとする。そして、ユーザＵ４は、入手した写真をアップロードして、チャンネルＣ１への参加登録を要求した。この場合、ユーザＵ４の移動経路は、ユーザＵ３の移動経路とおおよそ同一であるので、投稿権限付与部１１４は、ユーザＵ３の場合と同様の理由により、ユーザＵ４もチャンネルＣ１へ参加可能と判定してもよい。複数のユーザが行動を共にしているとき、それらのユーザ全員が映像を撮像するのではなく、一部のユーザが主として映像を撮像するようなことは一般的なことである。
【００６４】
投稿権限付与部１１４は、チャンネルへ参加登録可能な映像の撮像日時の範囲を限定してもよい。例えば、投稿権限付与部１１４は、チャンネルに参加登録を要求するユーザの専用アプリダウンロード日時を取得してもよい。そして、投稿権限付与部１１４は、撮像日時が、取得されたダウンロード日時より後である場合にのみ、投稿権限を付与してもよい。これにより、映像の撮像時点で、チャンネルシステムＳに関心や興味を持っているユーザに、チャンネルに参加させることができる。図７（ａ）は、チャンネルに参加登録可能な映像の撮像日時の一例を示す図である。図７（ａ）に示すように、専用アプリのダウンロード以後に撮像された映像でのみ、チャンネルに参加することができる。
【００６５】
投稿権限付与部１１４は、チャンネルが開設される日時以降の予め定められた期間を示す期間情報を取得してもよい。そして、投稿権限付与部１１４は、撮像日時が、取得された期間情報により示される期間に含まれる場合にのみ、投稿権限を付与してもよい。これにより、映像の撮像時点で、開設されたチャンネルに関心や興味を持っているユーザに、チャンネルに参加させることができる。例えば、投稿権限付与部１１４は、期間情報として、チャンネル開設日時を取得してもよい。そして、投稿権限付与部１１４は、撮像日時がチャンネル開設日時以降である場合にのみ、投稿権限を付与してもよい。すなわち、投稿権限付与部１１４は、チャンネルが存続している期間に映像が撮像された場合に、投稿権限を付与してもよい。図７（ｂ）は、チャンネルに参加登録可能な映像の撮像日時の他の一例を示す図である。図７（ｂ）に示すように、ユーザは専用アプリをダウンロードし、その後、チャンネルが開設された。この場合、ユーザは、チャンネルが開設された以後に撮像された映像でのみ、チャンネルに参加することができる。なお、チャンネルが開設された後に専用アプリがダウンロードされた場合、ユーザは、専用アプリのダウンロード以後に撮像された映像でのみ、チャンネルに参加することができる。
【００６６】
投稿権限付与部１１４は、期間情報として、イベント期間を取得してもよい。そして、投稿権限付与部１１４は、撮像日時がイベント期間に含まれる場合にのみ、投稿権限を付与してもよい。チャンネルが何らかのイベントに関連する場合、そのチャンネルの開設者は、イベントが開催される場所に対して領域を指定し、イベントが開催される期間に応じて、イベント期間を設定することができる。或いは、チャンネルが施設に関連する場合、そのチャンネルの開設者は、その施設のある場所に対して領域を指定し、その施設の営業時間に応じて、イベント期間を設定することができる。従って、撮像日時をイベント期間内に限定することにより、イベントに参加した蓋然性があるユーザ又は営業時間内に施設に訪れた蓋然性があるユーザを、チャンネルに参加させることができる。図７（ｃ）は、チャンネルに参加登録可能な映像の撮像日時の更に他の例を示す図である。例えば、開設者は、アニメのイベントが開催される場所を含むように領域を指定して、アニメのチャンネルを開設した。また、開設者は、そのイベントの開始日時及び終了日時を、イベント期間の開始日時及び終了日時として指定した。イベント期間の開始日時は、チャンネルの開始日時と一致する。或るユーザは、イベント開始前に専用アプリをダウンロードした。この場合、イベントの開始から終了までの期間内に撮像された映像でのみ、チャンネルに参加することができる。イベントの開始前又は終了後に撮像された映像では、チャンネルに参加することはできない。
【００６７】
撮像された映像をセンターサーバ１へアップロードする時期は、イベント期間中及びイベントの終了後の何れであっても、チャンネルに参加登録可能である。興味の対象となり得ることが起こる時期にユーザがその場所に行くことによって、ユーザがそのことに対して或る程度以上の関心を持つとことが分かる。イベント期間は、そのために指定可能となっている。特定のことにユーザが或る程度以上の関心を持つということが明らかになれば、映像のアップロードの時期を限定する必要はない。
【００６８】
上述したような判定により、投稿権限付与部１１４がチャンネルへ情報を投稿可能な権限を付与する場合、その権限を付与する処理は、例えば、投稿可能な権限が付与されるユーザのユーザＩＤと、投稿可能なチャンネルのチャンネルＩＤとを関連付けることであってもよい。この関連付けを参照することにより、特定のチャンネルに対して特定のユーザに投稿を許可するか否かを制御することができる。この関連付けは、例えばチャンネルＤＢ１４ｃにおいて、チャンネルＩＤに関連付けられた参加者リストに、参加者のユーザＩＤが追加されることであってもよい。或いは、関連付けは、会員ＤＢ１４ａにおいて、ユーザＩＤに関連付けられた参加チャンネルリストに、ユーザが参加登録したチャンネルのチャンネルＩＤが追加されることであってもよい。
【００６９】
投稿権限付与部１１４は、投稿権限を付与する処理を実行する場合、ユーザ端末２から取得した映像データを、投稿された情報として、投稿情報ＤＢ１４ｅに記憶してもよい。通常、チャンネルの参加登録時にユーザがセンターサーバ１へアップロードする映像は、投稿を目的とはしないものの、その映像を投稿したいユーザも存在する可能性もある。そこで、投稿権限付与部１１４は、ユーザによる選択に応じて、アップロードされた映像データを、投稿された情報として扱うか否かを判定してもよい。
【００７０】
チャンネル情報提供部１１５は、チャンネルに関する情報をユーザ端末２に表示させる。表示される情報の例として、チャンネルの検索結果、チャンネルＤＢ１４ｃに記憶されているチャンネル情報、チャンネルに投稿された情報等が挙げられる。チャンネル情報提供部１１５は、投稿情報ＤＢ１４ｅに記憶された投稿情報を、対応するチャンネルに公開する。図８（ａ）は、チャンネルに参加していない場合における画面例を示す図である。例えば、専用アプリを利用したチャンネルの検索が可能であってもよい。例えば、検索条件として、ジャンル、タグ、キーワード、住所、地域等の入力が可能であってもよい。チャンネル情報提供部１１５は、検索条件に合致するチャンネルを検索して、検索結果をユーザ端末２へ送信する。ユーザ端末２は、検索されたチャンネルの一覧を表示したり、検索されたチャンネルを示すアイコン等を地図に重畳して表示したりする。ユーザが、検索されたチャンネルの中から何れかのチャンネルを選択することに基づいて、ユーザ端末２はチャンネル内画面１００−１を表示する。チャンネル内画面１００−１は、チャンネル情報領域１１０を含む。チャンネル情報領域１１０には、本来チャンネルに関する様々な情報が表示される。例えば、ユーザが画面をスクロールすることにより、チャンネルに投稿された情報が表示される。しかしながら、現時点でユーザがチャンネルに参加登録していない場合、こうした情報をユーザが認識することができないように、チャンネル情報領域１１０にはぼかし処理が施されてもよい。ユーザは、投稿された情報を見ることも、投稿することもできない。
【００７１】
図８（ｂ）は、チャンネルに参加登録後の画面例を示す図である。チャンネルに参加登録後、ユーザ端末２は、チャンネル内画面１００−２を表示する。チャンネル内画面１００−２は、チャンネル情報領域１１０を含む。この場合のチャンネル情報領域１１０には、チャンネルに関する様々な情報が明確に表示される。また、チャンネル情報領域１１０は、投稿欄１２０を含む。投稿欄１２０は、投稿する情報としてテキストを入力したり、投稿する静止画や動画を選択したりするための領域である。ユーザは投稿欄１２０に対する操作により、情報を投稿することができる。
【００７２】
図８（ａ）に示すチャンネル内画面１００−１は、チャンネルの公開種別が「非公開」である場合の画面例である。公開種別が「公開」であるチャンネルに参加登録していないユーザに対して、ユーザ端末２は、チャンネル情報領域１１０に、チャンネルに関する情報を明確に表示する一方で、投稿欄１２０を表示させなくてもよい。
【００７３】
［４．チャンネルシステムの動作］
次に、チャンネルシステムＳの動作について、図９及び図１０を用いて説明する。システム制御部１１は、サーバプログラムに含まれるプログラムコードに従って、図９に示すセンターサーバ１の処理、及び図１０に示す処理を実行する。図９は、本実施形態に係るチャンネルシステムＳの動作の一例を示すシーケンス図である。
【００７４】
図９に示すように、チャンネルＣ１に参加登録していないユーザＵ１の操作により、ユーザ端末２−１は、写真を撮像し、その画像のデータを記憶する（ステップＳ１）。このとき、ユーザ端末２−１は、ユーザ端末２の位置及び現在日時を、撮像位置及び撮像日時として取得する。そして、ユーザ端末２−１は、撮像位置及び撮像日時を含む撮像位置情報を、写真のデータに付加する。それから例えば数時間後又は数日後、ユーザＵ１は、専用アプリを起動し、チャンネルＣ１を検索して選択する。チャンネルＣ１の選択に応じて、ユーザ端末２−１は、チャンネル内画面の要求を、センターサーバ１へ送信する（ステップＳ２）。この要求は、ユーザＵ１のユーザＩＤ、及び選択されたチャンネルＣ１のチャンネルＩＤを含む。
【００７５】
センターサーバ１のチャンネル情報提供部１１５は、チャンネル内画面の要求を受信すると、チャンネルＤＢ１４ｃや投稿情報ＤＢ１４ｅから、チャンネルＣ１のチャンネルＩＤに関連付けられた情報を取得する。また、センターサーバ１は、選択されたチャンネルＣ１のチャンネルＩＤに関連付けられた参加者リストが、ユーザＵ１のユーザＩＤを含むか否かを判定する。参加者リストはユーザＵ１のユーザＩＤを含まないので、センターサーバ１は、取得したチャンネルＣ１に関する情報と、「未参加」を示す参加状態とをユーザ端末２−１へ送信する（ステップＳ３）。ユーザ端末２−１は、センターサーバ１から受信した情報に基づいて、チャンネル内画面１００−１を表示する（ステップＳ４）。ここで、参加状態が「未参加」であるため、ユーザ端末２−１は、投稿欄１２０を表示しない。そのため、ユーザＵ１はチャンネルＣ１に情報を投稿することができない。
【００７６】
ここで、ユーザＵ１は、専用アプリのメニューから、チャンネルＣ１について、「写真／動画で参加」を選択する（ステップＳ５）。これに応じて、ユーザ端末２−１は、「写真をアップロード」、「動画をアップロード」等を含むメニューを表示する。ユーザＵ１は、メニューから、「写真をアップロード」を選択する（ステップＳ６）。この選択に応じて、ユーザ端末２−１は、ユーザ端末２−１に記憶された静止画像の一覧を表示する。ユーザは、一覧から、ステップＳ１で撮像された写真を選択する。これに応じて、ユーザ端末２は、ユーザＵ１のユーザＩＤ、チャンネルＣ１のチャンネルＩＤ、選択された写真データ、及び撮像位置情報を含む参加登録要求を、センターサーバ１へ送信する（ステップＳ７）。
【００７７】
参加登録要求を受信したセンターサーバ１は、参加登録可不可判定処理を実行する（ステップＳ８）。図１０は、本実施形態に係るセンターサーバ１のシステム制御部１１による参加登録可不可判定処理の一例を示すフローチャートである。
【００７８】
図１０に示すように、領域情報取得部１１３は、参加登録要求に含まれるチャンネルＩＤに関連付けられた領域ＩＤ及び開設日時を、チャンネルＤＢ１４ｃから取得する。そして、領域情報取得部１１３は、取得された領域ＩＤに関連付けられた領域情報を、領域情報ＤＢ１４ｄから取得する（ステップＳ１０１）。次いで、位置履歴取得部１１２は、参加登録要求に含まれるユーザＩＤに関連付けられた位置情報の履歴を、位置情報ＤＢ１４ｂから取得する。また、投稿権限付与部１１４は、ユーザＩＤに関連付けられた専用アプリダウンロード日時を、会員ＤＢ１４ａから取得する（ステップＳ１０２）。
【００７９】
次いで、投稿権限付与部１１４は、参加登録要求に含まれる写真データに付加された撮像位置情報により示される撮像位置が、取得された領域情報により示される領域内であるか否かを判定する（１０３）。例えば、投稿権限付与部１１４は、領域情報に含まれる中心地点から撮像位置までの距離を算出する。算出された距離が、領域情報に含まれる半径を超える場合、投稿権限付与部１１４は、撮像位置は領域内ではないと判定する（ステップＳ１０３：ＮＯ）。この場合、投稿権限付与部１１４は、チャンネルへの参加登録を否認すると判定する（ステップＳ１１１）。
【００８０】
一方、算出された距離が、領域情報に含まれる半径以下である場合、投稿権限付与部１１４は、撮像位置が領域内であると判定する（ステップＳ１０３：ＹＥＳ）。この場合、投稿権限付与部１１４は、取得された位置情報の履歴及び撮像日時に基づいて、撮像時におけるユーザ端末２の位置を決定する（ステップＳ１０４）。例えば、投稿権限付与部１１４は、位置情報の履歴に含まれる記録日時のうち、撮像日時から最も近い記録日時を特定してもよい。そして、投稿権限付与部１１４は、特定された記録日時に関連付けられた端末位置情報に示される位置を、撮像時におけるユーザ端末２の位置に決定してもよい。或いは、投稿権限付与部１１４は、位置情報の履歴に基づいて、ユーザ端末２の移動経路を推定してもよい。そして、投稿権限付与部１１４は、例えば、推定された移動経路上で、撮像日時から最も近い記録日時に関連付けられた端末位置情報に示される位置から、撮像日時と記録日時との差に応じた距離移動した先の地点を、撮像時におけるユーザ端末２の位置に決定してもよい。
【００８１】
次いで、投稿権限付与部１１４は、撮像位置と、決定されたユーザ端末２の位置と、の間の距離が、所定距離以下であるか否かを判定する（ステップＳ１０５）。撮像位置とユーザ端末２の位置との間の距離が所定距離以下ではない場合（ステップＳ１０５：ＮＯ）、処理はステップＳ１１１に進む。
【００８２】
一方、撮像位置とユーザ端末２の位置との間の距離が所定距離以下である場合（ステップＳ１０５：ＹＥＳ）、投稿権限付与部１１４は、参加登録要求に含まれる写真データに付加された撮像位置情報により示される撮像日時が、専用アプリのダウンロード日時以降であるか否かを判定する（ステップＳ１０６）。撮像日時がダウンロード日時以降ではない場合（ステップＳ１０６：ＮＯ）、処理はステップＳ１１１に進む。
【００８３】
一方、撮像日時がダウンロード日時以降である場合（ステップＳ１０６：ＹＥＳ）、投稿権限付与部１１４は、参加登録要求に含まれるチャンネルＩＤに関連付けてチャンネルＤＢ１４ｃに記憶されているチャンネル情報内に、イベント期間があるか否かを判定する（ステップＳ１０７）。イベント期間がない場合（ステップＳ１０７：ＮＯ）、投稿権限付与部１１４は、撮像日時が開設日時以降であるか否かを判定する（ステップＳ１０８）。撮像日時が開設日時以降ではない場合（ステップＳ１０８：ＮＯ）、処理はステップＳ１１１に進む。一方、撮像日時が開設日時以降である場合（ステップＳ１０８：ＹＥＳ）、投稿権限付与部１１４は、チャンネルへの参加登録を承認すると判定する（ステップＳ１１０）。
【００８４】
一方、イベント期間がある場合（ステップＳ１０７：ＹＥＳ）、投稿権限付与部１１４は、撮像日時がイベント期間内であるか否かを判定する（ステップＳ１０９）。撮像日時がイベント期間内ではない場合（ステップＳ１０９：ＮＯ）、処理はステップＳ１１１に進む。一方、撮像日時がイベント期間内である場合（ステップＳ１０９：ＹＥＳ）、処理はステップＳ１１０に進む。ステップＳ１１０又はＳ１１１が実行されると、参加登録可不可判定処理は終了する。
【００８５】
図１０に示すように、参加登録可不可判定処理が終了すると、投稿権限付与部１１４は、参加登録可不可判定処理にて参加登録を承認したか否かを判定する（ステップＳ９）。参加登録が否認された場合（ステップＳ９：ＮＯ）、投稿権限付与部１１４は、参加登録が不可能である旨のメッセージをユーザ端末２−１へ送信して、図９に示す処理は終了する。
【００８６】
一方、参加登録が承認された場合（ステップＳ９：ＹＥＳ）、投稿権限付与部１１４は、投稿する権限をユーザＵ１に付与する処理を実行する（ステップＳ１０）。例えば、投稿権限付与部１１４は、参加登録要求に含まれるチャンネルＩＤに関連付けてチャンネルＤＢ１４ｃに記憶されている参加者リストに、ユーザＵ１のユーザＩＤを追加する。また、投稿権限付与部１１４は、ユーザＵ１のユーザＩＤに関連付けて会員ＤＢ１４ａに記憶されている参加チャンネルリストにチャンネルＩＤを追加してもよい。
【００８７】
次いで、チャンネル情報提供部１１５は、チャンネルＤＢ１４ｃや投稿情報ＤＢ１４ｅから、ユーザＵ１が参加登録したチャンネルＣ１のチャンネルＩＤに関連付けられた情報を取得する。また、チャンネル情報提供部１１５は、選択されたチャンネルＣ１のチャンネルＩＤに関連付けられた参加者リストが、ユーザＵ１のユーザＩＤを含むか否かを判定する。チャンネルＣ１のチャンネルＩＤに関連付けられた参加者リストはユーザＵ１のユーザＩＤを含むので、チャンネル情報提供部１１５は、取得したチャンネルＣ１に関する情報と、「参加登録済」を示す参加状態とをユーザ端末２−１へ送信する（ステップＳ１１）。ユーザ端末２−１は、センターサーバ１から受信した情報に基づいて、チャンネル内画面１００−２を表示する（ステップＳ１２）。ここで、参加状態が「参加登録済」であるため、ユーザ端末２−１は、投稿欄１２０を表示する。その後、ユーザＵ１は、投稿欄１２０を操作することにより、投稿する情報を入力する。ユーザ端末２−１は、入力された情報を、投稿情報としてセンターサーバ１へ送信する（ステップＳ１３）。センターサーバ１は、受信した投稿情報を、チャンネルＣ１のチャンネルＩＤに関連付けて投稿情報ＤＢ１４ｅに記憶させる（ステップＳ１４）。
【００８８】
以上説明したように、本実施形態によれば、センターサーバ１が、撮像された映像であって、映像の撮像位置を示す撮像位置情報が付加された映像を、ユーザ端末２から取得する。また、センターサーバ１が、ユーザ端末２の位置の履歴を示す位置情報の履歴を取得する。また、センターサーバ１が、チャンネルについて予め指定された領域を示す領域情報を記憶部１４から取得する。また、センターサーバ１が、取得された映像に付加された撮像位置情報により示される撮像位置が、取得された領域情報により示される領域に含まれ、且つ撮像位置が、取得された位置情報の履歴に基づいて特定されるユーザ端末２の位置に対応する場合、チャンネルへ情報を投稿する権限を、そのユーザ端末２のユーザに付与する処理を実行する。従って、位置情報が付加された映像を用いて、チャンネルに関連付けられた場所に行ったことの確実性が高いユーザをそのチャンネルに参加させることができる。
【００８９】
ここで、センターサーバ１が、映像の撮像位置及び撮像日時を示す撮像位置情報が付加された映像を取得してもよい。また、センターサーバ１が、ユーザ端末２の位置の履歴を日時とともに示す位置情報の履歴を取得してもよい。また、センターサーバ１が、位置情報により示される撮像位置が、領域情報により示される領域に含まれ、且つ撮像位置が、位置情報の履歴に基づいて特定される位置であって、位置情報により示される撮像日時に応じたユーザ端末２の位置に対応する場合、投稿権限を付与してもよい。この場合、映像が撮像された時期に、その映像が撮像されたとされる位置又はその付近にユーザが実際にいた蓋然性がある場合に限り、投稿権限を付与することができる。従って、映像に付加された位置情報の改竄等の不正を、より確実に防止することができる。
【００９０】
ここで、センターサーバ１が、チャンネルへ情報を投稿するために用いられるアプリケーションをユーザ端末２がダウンロードした日時を示す専用アプリダウンロード日時を取得してもよい。また、センターサーバ１が、撮像日時が、取得された専用アプリダウンロード日時より後である場合にのみ、投稿権限を付与してもよい。この場合、映像の撮像時点で、チャンネルシステムＳに興味を持っているユーザを、チャンネルに参加させることができる。
【００９１】
また、センターサーバ１が、チャンネルが開設される日時以降の予め定められた期間を示す期間情報を取得してもよい。また、センターサーバ１が、撮像日時が、取得された期間情報により示される期間に含まれる場合にのみ、投稿権限を付与してもよい。この場合、映像の撮像時点で、開設されたチャンネル又はそのチャンネルに関連する物事に関心や興味を持っているユーザを、チャンネルに参加させることができる。
【００９２】
また、センターサーバ１が、投稿権限が付与される処理が実行される場合、ユーザ端末２から取得された映像を、ユーザから投稿された情報としてチャンネルに公開してもよい。この場合、ユーザがチャンネルに参加することに応じて、ユーザが送信した映像をそのチャンネルにそのまま投稿することができる。
【符号の説明】
【００９３】
１  センターサーバ
２  ユーザ端末
１１  システム制御部
１２  システムバス
１３  入出力インターフェース
１４  記憶部
１４ａ  会員ＤＢ
１４ｂ  位置情報ＤＢ
１４ｃ  チャンネルＤＢ
１４ｄ  領域ＤＢ
１４ｅ  投稿情報ＤＢ
１５  通信部
１１１  映像取得部
１１２  位置履歴取得部
１１３  領域情報取得部
１１４  投稿権限付与部
１１５  チャンネル情報提供部
ＮＷ  ネットワーク
Ｓ  チャンネルシステム
【要約】      （修正有）【課題】位置情報が付加された映像を用いて、コミュニティに関連付けられた場所に行ったことの確実性が高いユーザをそのコミュニティに参加させることを可能とする投稿権限付与装置、投稿権限付与方法及び投稿権限付与プログラムを提供する。【解決手段】チャンネルシステムにおいて、センターサーバのシステム制御部１１は、映像の撮像位置を示す位置情報が付加された映像を端末装置から取得し、端末装置の位置の履歴を示す位置履歴情報を取得し、コミュニティについて予め指定された領域を示す領域情報を取得し、取得した映像に付加された位置情報により示される撮像位置が、取得した領域情報により示される領域に含まれ、且つ、撮像位置が、取得した位置履歴情報に基づいて特定される端末装置の位置に対応する場合、コミュニティへ情報を投稿する権限を、端末装置のユーザに付与する処理を実行する。【選択図】図４【図１】
0006949180.tif 000002
【図２】
0006949180.tif 000003
【図３】
0006949180.tif 000004
【図４】
0006949180.tif 000005
【図５】
0006949180.tif 000006
【図６】
0006949180.tif 000007
【図７】
0006949180.tif 000008
【図８】
0006949180.tif 000009
【図９】
0006949180.tif 000010
【図１０】
0006949180.tif 000011